(57)【要約】【課題】アルミニウムを主成分とした金属で巻線を構成した場合でもコストアップを抑制しつつ巻線と回路端子との間を良好に導通する。【解決手段】回転電機１０では、巻線３８が第１ターミナル７０及び第２ターミナル９０と接続されている。そして、アルミニウムとは異なる導電性の金属で構成された回路ターミナル６０Ａ〜６０Ｃとアルミニウムを主成分とした金属で構成された第１ターミナル７０及び第２ターミナル９０とが、防水性の高い回路室５６内で結合されている。その結果、回路ターミナル６０Ａ〜６０Ｃにおける第１ターミナル７０及び第２ターミナル９０との結合部分の腐食が抑制される。これにより、該結合部分における腐食を抑制するために該結合部分にシール材等を塗布する必要がない。したがって、アルミニウムを主成分とした金属で巻線３８を構成してもコストアップを抑制しつつ回路ターミナル６０Ａ〜６０Ｃと巻線３８との間を良好に導通できる。【選択図】図１
2019071788.tif 000002
【特許請求の範囲】
【請求項１】
密閉された回路室の外郭を構成するカバーと、
前記回路室内に収容され、モータ部を駆動する駆動回路部と、
前記回路室内において前記駆動回路部に設けられ、アルミニウムとは異なる導電性の金属によって構成された回路端子と、
前記モータ部における電機子コアのティース部に巻き回され、アルミニウムを主成分とした金属で構成されると共に、アルミニウムを主成分とした金属で構成された連結部材を介して端末部が前記回路端子と結合された巻線と、
を備え、
前記モータ部の軸方向から見て、前記回路室が前記モータ部に隣接して配置されており、
前記連結部材は、前記回路端子と結合されると共に、前記巻線の端末部と結合される複数の結合部を有しており、
前記カバーの枠部の外側に、前記モータ部の軸方向の一方側へ開放された有底状の凹部が形成されており、
前記枠部の壁部と前記凹部の壁部とにそれぞれスリットが形成され、各前記スリットに前記連結部材が挿入されている回転電機。
【請求項２】
前記連結部材は、前記カバーと一体に形成されている請求項１に記載の回転電機。
【請求項３】
複数の前記巻線の端末部が、束ねられた状態で前記結合部と結合された請求項１又は請求項２に記載の回転電機。
【請求項４】
前記回路端子は銅を主成分とした金属により構成されると共に、前記回路端子における前記巻線又は前記連結部材との結合部分には錫めっきが施された請求項１〜請求項３の何れか１項に記載の回転電機。
【請求項５】
請求項１〜請求項４の何れか１項に記載の回転電機に適用され、
前記連結部材と前記回路端子とを結合する第１結合工程と、
前記連結部材と結合された前記回路端子を前記回路室内に収容された前記駆動回路部に配設し、前記回路室を密閉する密閉工程と、
を備えた回転電機の製造方法。
【発明の詳細な説明】
【技術分野】
【０００１】
本発明は、回転電機に関する。
【背景技術】
【０００２】
下記特許文献１に記載されたモータでは、ティース部に巻回された巻線の巻線端末部が、モータの軸方向一方側へ延出されて、巻線保持部によって保持されている。そして、巻線保持部によって保持された巻線端末部は、バスバーを介して回路装置の回路端子と接続されている。
【０００３】
ところで、一般に、上記巻線には導電率の高い銅線が用いられているが、例えばアルミニウムを主成分とした金属で構成された巻線を用いることで、モータの軽量化や低コスト化を図ることができる。
【先行技術文献】
【特許文献】
【０００４】
【特許文献１】特開２０１０−２７３４５０号公報
【発明の概要】
【発明が解決しようとする課題】
【０００５】
しかしながら、アルミニウムを主成分とした金属で巻線を構成すると以下の懸念事項が考えられる。すなわち、当該巻線が、巻線とは異なる金属で構成されたバスバーや回路端子と結合されると、この結合部分が腐食して導通不良になる可能性がある。これに対して、この結合部分にシール材等を塗布することで、当該結合部分における腐食の発生を抑制できるが、加工コストが増加するという問題がある。
【０００６】
本発明は、アルミニウムを主成分とした金属で巻線を構成した場合でもコストアップを抑制しつつ巻線と回路端子との間を良好に導通できる回転電機を提供することを目的とする。
【課題を解決するための手段】
【０００７】
請求項１に記載の回転電機は、密閉された回路室の外郭を構成するカバーと、前記回路室内に収容され、モータ部を駆動する駆動回路部と、前記回路室内において前記駆動回路部に設けられ、アルミニウムとは異なる導電性の金属によって構成された回路端子と、前記モータ部における電機子コアのティース部に巻き回され、アルミニウムを主成分とした金属で構成されると共に、アルミニウムを主成分とした金属で構成された連結部材を介して端末部が前記回路端子と結合された巻線と、を備え、前記モータ部の軸方向から見て、前記回路室が前記モータ部に隣接して配置されており、前記連結部材は、前記回路端子と結合されると共に、前記巻線の端末部と結合される複数の結合部を有しており、前記カバーの枠部の外側に、前記モータ部の軸方向の一方側へ開放された有底状の凹部が形成されており、前記枠部の壁部と前記凹部の壁部とにそれぞれスリットが形成され、各前記スリットに前記連結部材が挿入されている。
【０００８】
請求項１に記載の回転電機によれば、カバーの内部が密閉された回路室とされており、回路室内には駆動回路部が収容されている。この駆動回路部には、回路端子が設けられており、回路端子は回路室内に配置されている。そして、回路端子は、アルミニウムとは異なる導電性の金属によって構成されている。
【０００９】
ここで、モータ部における電機子コアのティース部に巻き回される巻線の端末部が、連結部材を介して回路端子と結合されており、巻線及び連結部材はアルミニウムを主成分とした金属で構成されている。このため、アルミニウムとは異なる導電性の金属によって構成された回路端子と、アルミニウムを主成分とした金属で構成された連結部材と、が回路室内において結合される。すなわち、防水性の確保された回路室内において、回路端子と巻線又は連結部材とが結合される。その結果、回路端子における連結部材との結合部分の腐食が抑制される。これにより、当該結合部分の腐食を抑制するためのシール材等を当該結合部分に塗布する必要がなくなる。したがって、コストアップを抑制しつつ巻線と回路端子との間を良好に導通できる。
【００１０】
また、この回転電機では、回路室がモータ部に隣接して配置されているため、例えば、モータ部によって発生した熱の駆動回路部への影響を抑制でき、モータ部の軸方向において回転電機の大型化を抑制できる。
【００１１】
さらに、この回転電機によれば、例えば、連結部材を有する既存の回転電機において、アルミニウムを主成分とした金属に巻線を置換えても、巻線と結合された連結部材と、回路端子と、を回路室内において結合することで、コストアップの増加を抑制しつつ回路端子と巻線との間を良好に導通できる。また、例えば、連結部材と回路端子とを溶接によって結合してから駆動回路部を回路室内に収容できる。これにより、連結部材と回路端子とを回路室外で溶接できるため、連結部材と回路端子とを溶接する際の電極スペースを容易に確保できる。さらに、例えば、予め連結部材と回路端子とを溶接によって結合してから、駆動回路部に回路部品を設けることができる。これにより、溶接する際のスパッタによる回路部品に対する影響を抑制できる。
また、この回転電機によれば、連結部材が、巻線の端末部と結合される複数の結合部を有しているため、異種金属同士で結合される連結部材と回路端子との結合箇所の数を、同種金属同士で結合される巻線と連結部材との結合箇所に比べて少なく設定できる。これにより、回転電機における信頼性を向上できる。
【００１２】
請求項２に記載の回転電機は、請求項１に記載の回転電機において、前記連結部材は、前記カバーと一体に形成されている。
【００１３】
請求項２に記載の回転電機によれば、連結部材がカバーと一体に形成されているため、カバーにおける連結部材が通過する部分の防水構造を簡易にできる。
【００１４】
請求項３に記載の回転電機は、請求項１又は請求項２に記載の回転電機において、複数の前記巻線の端末部が、束ねられた状態で前記結合部と結合されている。
【００１５】
請求項３に記載の回転電機では、複数の巻線の端末部が、束ねられた状態で結合部と結合されているため、巻線の端末部と結合部との結合箇所を少なくできる。これにより、回転電機における組付工数の低減に寄与できる。
【００１６】
請求項４に記載の回転電機は、請求項１〜請求項３の何れか１項に記載の回転電機において、前記回路端子は銅を主成分とした金属により構成されると共に、前記回路端子における前記巻線又は前記連結部材との結合部分には錫めっきが施されている。
【００１７】
請求項４に記載の回転電機によれば、回路端子は銅を主成分とした金属により構成されている。そして、回路端子における巻線又は連結部材との結合部分には、錫めっきが施されている。このため、回路端子における巻線又は連結部材との結合部分の腐食を効果的に抑制できる。すなわち、仮に回路端子において錫めっきを省略した場合には、錫めっきが省略された回路端子と、巻線又は連結部材と、の間の電位差が、錫めっきが施された回路端子のめっき部分と、巻線又は連結部材と、の間の電位差よりも大きくなる。したがって、回路端子に錫めっきを施すことで、回路端子のめっき部分と、巻線又は連結部材と、の結合部分の電位差が小さくなるため、回路端子における巻線又は連結部材との結合部分の腐食の発生を効果的に抑制できる。
【００１８】
請求項５に記載の回転電機の製造方法は、請求項１〜請求項４の何れか１項に記載の回転電機に適用され、前記連結部材と前記回路端子とを結合する第１結合工程と、前記連結部材と結合された前記回路端子を前記回路室内に収容された前記駆動回路部に配設し、前記回路室を密閉する密閉工程と、を備えている。
【００１９】
請求項５に記載の回転電機の製造方法によれば、連結部材と回路端子とを結合した後に、回路室が密閉される。このため、この場合においても、例えば、回路室外で連結部材と回路端子とを溶接できるため、連結部材と回路端子とを溶接する際の電極スペースを容易に確保できる。また、連結部材と回路端子とを溶接する際のスパッタの回路部品に対する影響を抑制できる。
【図面の簡単な説明】
【００２０】
【図１】第１の実施の形態に係る回転電機の要部を示す回転電機の軸方向一方側から見た平面図である。
【図２】図１に示される回転電機の要部を示す斜視図である。
【図３】図２に示される回転電機の要部を示す側断面図である。
【図４】（Ａ）は、図１に示される回転電機の製造方法における第１結合工程を説明するため説明図であり、（Ｂ）は、（Ａ）に示される第１ターミナル及び第２ターミナルがカバーに一体に形成された状態を説明するための説明図である。
【図５】図４（Ｂ）に示される回路装置が組付けられたモータ本体へのバスバーの組付けを説明するための説明図である。
【図６】図１に示されるカバーと第１ターミナル及び第２ターミナルとの一体化における別例を示す平面図である。
【図７】第２の実施の形態に係る回転電機の要部を示す斜視図である。
【図８】図７に示される回転電機の回路室内を示す拡大した斜視図である。
【図９】第３の実施の形態に係る回転電機の要部を示す回転電機の軸方向一方側から見た平面図である。
【図１０】図９の示される回転電機の回路室を示す側断面である。
【図１１】図１０に示される回路室の他の例を示す側断面である。
【発明を実施するための形態】
【００２１】
（第１の実施の形態）
【００２２】
以下、図１〜図３を用いて第１の実施の形態に係る回転電機１０について説明する。この回転電機１０は、所謂アウタロータタイプのブラシレスモータとされており、「モータ部」としてのモータ本体１２と、回路装置５０と、を含んで構成されている。なお、この第１の実施の形態は、参考例である。
【００２３】
モータ本体１２は、略三角形板状のセンタピース１４を備えており、センタピース１４は板厚方向をモータ本体１２の軸方向にして配置されている。また、センタピース１４は、モータ本体１２の軸方向から見て、モータ本体１２の軸心を通過する直交軸Ｃｘ（図１参照）に対して対称に形成されている。さらに、このセンタピース１４の一端部（図１等の矢印Ｄ方向側の端部）には、後述する回路装置５０を取付けるための取付部１６が形成されている。この取付部１６は、モータ本体１２の軸方向から見て直交軸Ｃｘに直交する直交軸Ｃｙの軸方向に延びている。
【００２４】
また、図３に示されるように、センタピース１４の略中央部には、軸部１８が一体に形成されており、軸部１８は、モータ本体１２の軸方向一方側（図３等の矢印Ａ方向側）へ突出された略有底円筒形状に形成されている。そして、モータシャフト２０の一端部が軸部１８内に嵌入されて、モータシャフト２０がセンタピース１４に回転不能に固定されている。
【００２５】
さらに、モータ本体１２はロータ２２を備えている。ロータ２２は、ロータハウジング２４を有しており、ロータハウジング２４はモータ本体１２の軸方向一方側へ開放された略有底円筒形状に形成されている。このロータハウジング２４の中央部には、略筒状の固定部２６が形成されており、固定部２６にはモータシャフト２０の他端部が軸受２８を介して支持されている。これにより、ロータ２２がモータシャフト２０に対して回転可能に構成されている。また、ロータハウジング２４の内周面には、マグネット３０が固着されている。
【００２６】
さらに、ロータハウジング２４の内側には、モータ本体１２の一部を構成するステータ３２の電機子コア３４が収容されており、電機子コア３４はセンタピース１４に支持されている。この電機子コア３４は、複数（本実施の形態では１２個）のティース部３６を有しており、ティース部３６はモータシャフト２０を中心として放射状に形成されている。
【００２７】
そして、ティース部３６には、巻線３８が巻回されている。この巻線３８は、アルミニウムを主成分とした金属（ＪＩＳ規格において規定される１０００番台）により構成された線材で製作されて、モータ本体１２のＵ相、Ｖ相、Ｗ相をそれぞれ構成している。また、巻線３８は、ティース部３６の個数に対応して、１２個の巻線端末部４０Ａ〜４０Ｌを有している。そして、図１及び図２に示されるように、巻線３８の巻線端末部４０Ａ〜４０Ｌは、２本ずつ対を成すようにしてモータ本体１２からモータ本体１２の軸方向一方側へ延出されると共に、モータ本体１２の軸方向から見てモータ本体１２の周方向に等間隔（６０°毎）に配置されている。具体的には、２本ずつ対を成す巻線端末部４０Ａ，４０Ｂと巻線端末部４０Ｇ，４０Ｈとが、モータ本体１２の軸方向から見て直交軸Ｃｙ上に配置されている。
【００２８】
また、モータ本体１２の軸方向一方側には、保持部材４２が設けられており、保持部材４２は、センタピース１４に支持されている。この保持部材４２は、絶縁材により製作されると共に、モータ本体１２の軸方向一方側へ開放された底の浅い略凹状に形成されている。また、保持部材４２には、２本ずつ対を成す巻線端末部４０Ａ〜４０Ｌを保持するための複数（本実施の形態では６箇所）の巻線保持部４４が形成されており、巻線保持部４４は、２本ずつ対を成す巻線端末部４０Ａ〜４０Ｌに対応した位置に配置されている。そして、巻線保持部４４は略筒状に形成されており、巻線保持部４４内に２本ずつ対を成す巻線端末部４０Ａ〜４０Ｌが挿入されて保持されている。
【００２９】
回路装置５０は、モータ本体１２の軸方向一方側に配置されると共に、モータ本体１２の軸方向から見てセンタピース１４の取付部１６側にずれて配置されている。換言すると、モータ本体１２の軸方向から見て、回路装置５０がモータ本体１２に隣接して配置されている。回路装置５０は、センタピース１４の取付部１６に固定される略矩形板状のベース部５２と、ベース部５２に対してモータ本体１２の軸方向一方側に配置されたカバー５４と、を含んで構成されている。このカバー５４は、モータ本体１２の軸方向他方側（図２の矢印Ｂ方向側）へ開放された略矩形箱状に形成されている。具体的には、カバー５４は、略矩形枠状に形成された枠部５４Ａと、枠部５４Ａにおける一端部を閉塞する底壁５４Ｂ（図２では、便宜上、カバー５４の底壁５４Ｂを図示省略している）と、を含んで構成されており、枠部５４Ａと底壁５４Ｂとが溶着等の手段によって固定されている。そして、カバー５４とベース部５２との間がシールされた状態でベース部５２とカバー５４とが組付けられている。また、カバー５４の内部の空間が回路室５６とされており、回路室５６はベース部５２とカバー５４とによって密閉されている。すなわち、回路室５６の外郭がベース部５２及びカバー５４によって構成されて、回路室５６の防水性が確保されている。
【００３０】
回路室５６内には、「回路駆動部」としての回路基板５８が収容されており、回路基板５８はベース部５２に固定されている。また、回路基板５８には、モータ本体１２側の端部において、複数（本実施の形態では３つ）の「回路端子」としての回路ターミナル６０Ａ〜６０Ｃが設けられている。この回路ターミナル６０Ａ〜６０Ｃは、銅を主成分とした金属（本実施の形態では、黄銅）により構成されており、回路ターミナル６０Ａ〜６０Ｃの表面には、錫めっきが施されている。また、回路ターミナル６０Ａ〜６０Ｃは、略板状に形成されて、板厚方向を直交軸Ｃｘの軸方向にして配置され、回路基板５８からモータ本体１２の軸方向一方側へ突出されている。さらに、回路ターミナル６０Ａ〜６０Ｃは、直交軸Ｃｙと平行に一列に並んで配置されている。また、回路ターミナル６０Ａ〜６０Ｃの上部には、モータ本体１２側へ突出された突起部６２（図１のＥ部参照）が形成されており、回路ターミナル６０Ａ〜６０Ｃが、突起部６２において、後述する第１ターミナル７０及び第２ターミナル９０と溶接によって結合されるようになっている。
【００３１】
また、回路基板５８は、一対の第１ターミナル７０、一対のバスバー８０、及び第２ターミナル９０を介して巻線３８の巻線端末部４０Ａ〜４０Ｌと接続されている。そして、これら第１ターミナル７０、バスバー８０、及び第２ターミナル９０は、アルミニウムを主成分とした金属（ＪＩＳ規格において規定されている１０００番台）によって構成されており、これらの部材が本発明の「連結部材」に対応している。以下それぞれの構成について説明する。
【００３２】
図２に示されるように、第１ターミナル７０は、回路ターミナル６０Ａ，６０Ｃのモータ本体１２側（図２等の矢印Ｃ方向側）にそれぞれ配置されている。また、第１ターミナル７０は、略長尺板状に形成されて、長手方向を直交軸Ｃｘ（図１参照）の軸方向にして配置されている。そして、第１ターミナル７０は、第１ターミナル７０の回路ターミナル６０Ａ，６０Ｃ側（図２等の矢印Ｄ方向側）の部分を構成する第１ターミナル基部７２と、第１ターミナル７０のモータ本体１２側の部分を構成する第１ターミナル接続部７４と、を含んで構成されている。そして、第１ターミナル７０は、長手方向中間部において、カバー５４のモータ本体１２側の側壁（枠部５４Ａ）にインサート成形によって一体に形成されている。これにより、第１ターミナル基部７２がカバー５４の側壁（枠部５４Ａ）から回路室５６内へ延びており、第１ターミナル接続部７４がカバー５４の側壁（枠部５４Ａ）からモータ本体１２側へ延びている。
【００３３】
第１ターミナル基部７２は、板厚方向をモータ本体１２の軸方向にして配置されている。また、第１ターミナル基部７２の一端部（回路ターミナル６０Ａ，６０Ｃ側の端部）が、回路ターミナル６０Ａ，６０Ｃ（の突起部６２）と対向するようにモータ本体１２の軸方向一方側へ屈曲されて、プロジェクション溶接等によって回路ターミナル６０Ａ，６０Ｃと結合されている。すなわち、回路室５６内において、第１ターミナル７０が回路ターミナル６０Ａ，６０Ｃと結合されている。
【００３４】
第１ターミナル接続部７４は、板厚方向を直交軸Ｃｙ（図１参照）の軸方向にして配置されて、第１ターミナル基部７２の他端部における幅方向一端部からモータ本体１２側へ延びている。そして、第１ターミナル接続部７４は、側面視で、その先端部がモータ本体１２の軸方向一方側へ突出された略Ｌ字形状に形成されている。
【００３５】
一対のバスバー８０は、第１ターミナル７０の回路装置５０とは反対側に配置されている。そして、バスバー８０は、バスバー接続部８２と、一対の「結合部」としてのバスバー結合部８４と、を含んで構成されている。一対のバスバー８０のバスバー接続部８２は、略長尺板状に形成されると共に、モータ本体１２の軸方向から見て直交軸Ｃｘに対して左右対称になるように階段状に屈曲されている（図１参照）。具体的には、バスバー接続部８２の一端部（回路装置５０側の端部）が、板厚方向を直交軸Ｃｙの軸方向にして配置されて、第１ターミナル７０の他端部にＴＩＧ溶接等によって結合されている。そして、モータ本体１２の軸方向から見て、バスバー接続部８２の長手方向中間部が、回路装置５０とは反対側（図１等の矢印Ｃ方向）へ向かうに従い直交軸Ｃｘに接近するように略クランク状に屈曲形成されている（図１参照）。さらに、バスバー接続部８２の他端部（回路装置５０とは反対側の端部）は、板厚方向を直交軸Ｃｙの軸方向にして配置されている。
【００３６】
バスバー結合部８４は、一対のバスバー接続部８２の長手方向中間部及びバスバー接続部８２の他端部にそれぞれ一体に形成されると共に、２本ずつ対を成す巻線端末部４０Ａ，４０Ｂ、巻線端末部４０Ｃ，４０Ｄ、巻線端末部４０Ｅ，４０Ｆ、巻線端末部４０Ｇ，４０Ｈに隣接する位置にそれぞれ配置されている。このバスバー結合部８４は、バスバー接続部８２からモータ本体１２の軸方向一方側へ延びると共に、モータ本体１２の軸方向から見て回路装置５０とは反対側へ開放された略Ｕ字形状に屈曲されている。そして、２本ずつ対を成す巻線端末部４０Ａ，４０Ｂ、巻線端末部４０Ｃ，４０Ｄ、巻線端末部４０Ｅ，４０Ｆ、巻線端末部４０Ｇ，４０Ｈが、それぞれ束ねられた状態でバスバー結合部８４内に挿入されて、バスバー結合部８４とＴＩＧ溶接等によって結合されている。これにより、第１ターミナル７０及びバスバー８０によって、回路ターミナル６０Ａと、巻線端末部４０Ａ，４０Ｂ及び巻線端末部４０Ｃ，４０Ｄと、が接続（連結）されると共に、回路ターミナル６０Ｃと、巻線端末部４０Ｅ，４０Ｆ及び巻線端末部４０Ｇ，４０Ｈと、が接続（連結）されている。
【００３７】
第２ターミナル９０は、回路ターミナル６０Ｂのモータ本体１２側に配置されると共に、モータ本体１２の軸方向から見て略Ｙ字形を成した板状に形成されている。そして、第２ターミナル９０は、第２ターミナル９０の回路ターミナル６０Ｂ側の部分を構成する第２ターミナル基部９２と、第２ターミナル９０のモータ本体１２側の部分を構成する一対の第２ターミナル接続部９４と、を含んで構成されている。さらに、第２ターミナル９０は、カバー５４のモータ本体１２側の側壁（枠部５４Ａ）にインサート成形によって一体に形成されており、第２ターミナル基部９２がカバー５４の側壁（枠部５４Ａ）から回路室５６内へ延びると共に、一対の第２ターミナル接続部９４がカバー５４の側壁（枠部５４Ａ）からモータ本体１２側へ延びている。
【００３８】
第２ターミナル基部９２は、モータ本体１２の軸方向から見て略Ｔ字形板状に形成されて、板厚方向をモータ本体１２の軸方向にして配置されている。具体的には、第２ターミナル基部９２は、回路ターミナル６０Ｂからモータ本体１２側へ延びると共に、モータ本体１２側の端部において直交軸Ｃｙの軸方向に２股状に分岐されている。そして、第２ターミナル基部９２の一端部（回路ターミナル６０Ｂ側の端部）が、回路ターミナル６０Ｂと対向するようにモータ本体１２の軸方向一方側へ屈曲されて、プロジェクション溶接等によって回路ターミナル６０Ｂと結合されている。すなわち、第２ターミナル９０と回路ターミナル６０Ｂとが回路装置５０内において結合されている。
【００３９】
一対の第２ターミナル接続部９４は、板厚方向を直交軸Ｃｙの軸方向にして配置されると共に、第２ターミナル基部９２の分岐された両端部からモータ本体１２側へ延びている。そして、第２ターミナル接続部９４の先端部（モータ本体１２側の端部）には、「結合部」としての第２ターミナル結合部９６が一体に形成されており、第２ターミナル結合部９６は、当該先端部からモータ本体１２の軸方向一方側へ延びると共に、モータ本体１２の軸方向から見て回路装置５０とは反対側へ開放された略Ｕ字形状に屈曲されている。そして、２本ずつ対を成す巻線端末部４０Ｉ，４０Ｊ、巻線端末部４０Ｋ，４０Ｌが、それぞれ束ねられた状態で第２ターミナル結合部９６内に挿入されて、第２ターミナル結合部９６とＴＩＧ溶接等によって結合されている。これにより、巻線端末部４０Ｉ，４０Ｊ及び巻線端末部４０Ｋ，４０Ｌと、回路ターミナル６０Ｂと、が第２ターミナル９０を介して接続（連結）されている。
【００４０】
次に第１の実施の形態に係る回転電機１０の製造方法について説明する。
【００４１】
まず、図４（Ａ）に示されるように、第１ターミナル７０における第１ターミナル基部７２の一端部と、回路ターミナル６０Ａ，６０Ｃの突起部６２（図４（Ａ）では不図示）と、を対向するように配置して、プロジェクション溶接等によって第１ターミナル７０と回路ターミナル６０Ａ，６０Ｃとを結合する（第１結合工程）。また、第２ターミナル９０における第２ターミナル基部９２の一端部と、回路ターミナル６０Ｂの突起部６２（図４（Ａ）では不図示）と、を対向するように配置して、プロジェクション溶接等によって第２ターミナル９０と回路ターミナル６０Ｂとを結合する（第１結合工程）。
【００４２】
次に、回路ターミナル６０Ａ，６０Ｃの各々と結合された一対の第１ターミナル７０、及び回路ターミナル６０Ｂと結合された第２ターミナル９０を、インサート成形によってカバー５４（の枠部５４Ａ）と一体に形成する（成形工程）。
【００４３】
次に、図４（Ｂ）に示されるように、回路装置５０のベース部５２に固定された回路基板５８を覆うようにカバー５４の枠部５４Ａをベース部５２上に配置する。そして、カバー５４とベース部５２との間をシールしつつ、カバー５４の枠部５４Ａをベース部５２に組付ける。このときに、回路基板５８に形成されたスルーホール（図示省略）内に回路ターミナル６０Ａ〜６０Ｃの端子部（図示省略）を挿入し、回路基板５８に回路ターミナル６０Ａ〜６０Ｃをはんだ付けする。
【００４４】
そして、カバー５４の枠部５４Ａの一端側（ベース部５２とは反対側）を閉塞するようにカバー５４の底壁５４Ｂを配置して、枠部５４Ａにカバー５４を固定する。これにより、回路室５６が密閉された状態で、回路装置５０がユニット化される（密閉工程）。
【００４５】
図５に示されるように、この状態にされた回路装置５０をモータ本体１２の側方に配置して、センタピース１４の取付部１６に回路装置５０のベース部５２を固定させる。このとき、２本ずつ対を成す巻線端末部４０Ｉ，４０Ｊ、巻線端末部４０Ｋ，４０Ｌを、それぞれ束ねた状態で第２ターミナル９０の第２ターミナル結合部９６内に挿入する。そして、巻線端末部４０Ｉ，４０Ｊ及び巻線端末部４０Ｋ，４０Ｌと、第２ターミナル結合部９６とをＴＩＧ溶接等によって結合する（第２結合工程）。これにより、巻線端末部４０Ｉ，４０Ｊ及び巻線端末部４０Ｋ，４０Ｌと、回路ターミナル６０Ｂと、が第２ターミナル９０を介して接続（連結）される。
【００４６】
またさらに、一対のバスバー８０をモータ本体１２の軸方向一方側からモータ本体１２に組付ける。具体的には、一方のバスバー８０のバスバー結合部８４内に、２本ずつ対を成す巻線端末部４０Ａ，４０Ｂ及び巻線端末部４０Ｃ，４０Ｄを挿入させて、巻線端末部４０Ａ，４０Ｂ及び巻線端末部４０Ｃ，４０Ｄとバスバー結合部８４とをＴＩＧ溶接等によって結合する（第２結合工程）。また、他方のバスバー８０のバスバー結合部８４内に、２本ずつ対を成す巻線端末部４０Ｅ，４０Ｆ及び巻線端末部４０Ｇ，４０Ｈを挿入させて、巻線端末部４０Ｅ，４０Ｆ及び巻線端末部４０Ｇ，４０Ｈとバスバー結合部８４とをＴＩＧ溶接等によって結合する（第２結合工程）。さらに、バスバー８０のバスバー接続部８２と第１ターミナル７０とをＴＩＧ溶接等によって結合する。これにより、第１ターミナル７０及びバスバー８０によって、回路ターミナル６０Ａと、巻線端末部４０Ａ，４０Ｂ及び巻線端末部４０Ｃ，４０Ｄと、が接続（連結）されると共に、回路ターミナル６０Ｃと、巻線端末部４０Ｅ，４０Ｆ及び巻線端末部４０Ｇ，４０Ｈと、が接続（連結）される。
【００４７】
次に本実施の形態の作用及び効果について説明する。
【００４８】
上記のように構成された回転電機１０では、回路室５６内に回路基板５８が収容されており、回路基板５８には、黄銅により構成された回路ターミナル６０Ａ〜６０Ｃが設けられている。また、モータ本体１２の巻線３８、一対の第１ターミナル７０、一対のバスバー８０、及び第２ターミナル９０が、それぞれアルミニウムを主成分とした金属により構成されている。
【００４９】
ここで、モータ本体１２における巻線３８の巻線端末部４０Ａ〜４０Ｌは、一対のバスバー８０、一対の第１ターミナル７０、及び第２ターミナル９０を介して、回路ターミナル６０Ａ〜６０Ｃと結合されている。具体的には、２本ずつ対を成す巻線端末部４０Ａ，４０Ｂ、巻線端末部４０Ｃ，４０Ｄ、巻線端末部４０Ｅ，４０Ｆ、巻線端末部４０Ｇ，４０Ｈが、バスバー８０のバスバー結合部８４に結合されており、バスバー８０は第１ターミナル７０に結合されている。そして、第１ターミナル７０と回路ターミナル６０Ａ，６０Ｃとが回路室５６内において結合されている。また、２本ずつ対を成す巻線端末部４０Ｉ，４０Ｊ、巻線端末部４０Ｋ，４０Ｌが、第２ターミナル９０の第２ターミナル結合部９６に結合されており、第２ターミナル９０と回路ターミナル６０Ｂとが回路室５６内において結合されている。
【００５０】
このため、アルミニウムとは異なる導電性の金属（黄銅）で構成された回路ターミナル６０Ａ〜６０Ｃと、アルミニウムを主成分とした金属で構成された第１ターミナル７０及び第２ターミナル９０と、が、防水性の確保された（高い）回路室５６内において結合されている。その結果、回路ターミナル６０Ａ〜６０Ｃにおける第１ターミナル７０及び第２ターミナル９０との結合部分の腐食が抑制される。これにより、例えば、当該結合部分の腐食を抑制するためのシール材等を塗布する必要がなくなる。したがって、アルミニウムを主成分とした金属で巻線３８を構成した場合でもコストアップの増加を抑制しつつ回路ターミナル６０Ａ〜６０Ｃと巻線３８との間を良好に導通できる。
【００５１】
また、上述したように、巻線端末部４０Ａ〜４０Ｌが連結部材（一対の第１ターミナル７０、一対のバスバー８０、及び第２ターミナル９０）を介して、回路ターミナル６０Ａ〜６０Ｃと結合されている。このため、例えば、連結部材を有する既存の回転電機において、アルミニウムを主成分とした金属に巻線を置換えた場合でも、当該回転電機を本実施の形態の回転電機１０のように構成することで、コストアップの増加を抑制しつつ回路ターミナルと巻線との間を良好に導通できる。
【００５２】
さらに、第２ターミナル９０では、一端部が回路ターミナル６０Ｂと結合されており、２本ずつ対を成す巻線端末部４０Ｉ，４０Ｊ、巻線端末部４０Ｋ，４０Ｌと結合される第２ターミナル結合部９６が２箇所形成されている。また、バスバー８０では、一端部が第１ターミナル７０と結合されており、２本ずつ対を成す巻線端末部４０Ａ，４０Ｂ及び巻線端末部４０Ｃ，４０Ｄ（巻線端末部４０Ｅ，４０Ｆ及び巻線端末部４０Ｇ，４０Ｈ）と結合されるバスバー結合部８４が２箇所形成されている。このため、第１ターミナル７０及び第２ターミナル９０と回路ターミナル６０Ａ〜６０Ｃとの結合箇所（３箇所）が、バスバー８０及び第２ターミナル９０と巻線端末部４０Ａ〜４０Ｌとの結合箇所（６箇所）に比べて少なくなる。これにより、異種金属同士の結合箇所（第１ターミナル７０及び第２ターミナル９０と回路ターミナル６０Ａ〜６０Ｃとの結合箇所）の数を低減できるため、回転電機１０における信頼性を向上できる。
【００５３】
また、第１ターミナル７０及び第２ターミナル９０が、カバー５４とインサート成形によって一体に形成されている。このため、カバー５４における第１ターミナル７０及び第２ターミナル９０の通過する部分の防水構造を簡易にできる。
【００５４】
さらに、回路ターミナル６０Ａ〜６０Ｃの表面には、錫めっきが施されている。このため、回路ターミナル６０Ａ〜６０Ｃにおける連結部材（第１ターミナル７０及び第２ターミナル９０）との結合部分の腐食を効果的に抑制できる。すなわち、仮に回路ターミナル６０Ａ〜６０Ｃにおいて錫めっきを省略した場合には、錫めっきが省略された回路ターミナル６０Ａ〜６０Ｃと連結部材との間の電位差（約０．５Ｖ）が、錫めっきが施された回路ターミナル６０Ａ〜６０Ｃのめっき部分と連結部材との間の電位差（約０．２５Ｖ）よりも大きくなる。したがって、回路ターミナル６０Ａ〜６０Ｃに錫めっきを施すことで、回路ターミナル６０Ａ〜６０Ｃにおける連結部材（第１ターミナル７０及び第２ターミナル９０）との結合部分における電位差を小さく設定できる。これにより、回路ターミナル６０Ａ〜６０Ｃにおける連結部材との結合部分の腐食を効果的に抑制できる。
【００５５】
また、モータ本体１２の軸方向から見て、回路装置５０がモータ本体１２に隣接して配置されている。このため、モータ本体１２によって発生した熱の回路基板５８への影響を抑制でき、モータ本体１２の軸方向において回転電機１０の大型化を抑制できる。
【００５６】
さらに、２本ずつ対を成す巻線端末部４０Ａ，４０Ｂ（４０Ｅ，４０Ｆ）及び巻線端末部４０Ｃ，４０Ｄ（４０Ｇ，４０Ｈ）と回路ターミナル６０Ａ（６０Ｃ）との間では、第１ターミナル７０とバスバー８０とが分割して構成されている。このため、例えば、第１ターミナル７０とバスバー８０とを一体に形成した場合に比べて、第１ターミナル７０のカバー５４からの突出量を抑制できる。これにより、カバー５４の大型化を抑制でき、回路装置５０をモータ本体１２に組付ける際の組付性を向上できる。
【００５７】
また、２本ずつ対を成す巻線端末部４０Ａ，４０Ｂ、巻線端末部４０Ｃ，４０Ｄ、巻線端末部４０Ｅ，４０Ｆ、巻線端末部４０Ｇ，４０Ｈが、束ねられた状態で、バスバー８０のバスバー結合部８４に結合されている。また、２本ずつ対を成す巻線端末部４０Ｉ，４０Ｊ、巻線端末部４０Ｋ，４０Ｌが、束ねられた状態で、第２ターミナル９０の第２ターミナル結合部９６に結合されている。このため、巻線端末部４０Ａ〜４０Ｌと、バスバー８０及び第２ターミナル９０との結合箇所を少なくできる。これにより、回転電機１０の組付工数の低減に寄与できる。
【００５８】
さらに、回転電機１０では、第１ターミナル７０と回路ターミナル６０Ａ，６０Ｃとを溶接によって結合し、第２ターミナル９０と回路ターミナル６０Ｂとを溶接によって結合した後に、インサート成形によって第１ターミナル７０及び第２ターミナル９０がカバー５４と一体に形成されている。このため、回路室５６外で第１ターミナル７０及び第２ターミナル９０と回路ターミナル６０Ａ〜６０Ｃとを溶接できるため、第１ターミナル７０及び第２ターミナル９０と回路ターミナル６０Ａ〜６０Ｃとを溶接する際の電極スペースを容易に確保できる。また、第１ターミナル７０及び第２ターミナル９０に溶接された回路ターミナル６０Ａ〜６０Ｃを回路基板５８に設けることができる。これにより、これらを溶接する際のスパッタの回路基板５８上の回路部品に対する影響を抑制できる。
【００５９】
さらに、第１の実施の形態では、第１ターミナル７０と回路ターミナル６０Ａ，６０Ｃとを結合し、第２ターミナル９０と回路ターミナル６０Ｂとを結合した後に、巻線端末部４０Ａ〜４０Ｌと、バスバー８０及び第２ターミナル９０とが結合されている。これにより、回転電機１０における組付性を向上できる。つまり、仮に、巻線端末部４０Ａ〜４０Ｌと、バスバー８０及び第２ターミナル９０とを結合した後に、第１ターミナル７０及び第２ターミナル９０と回路ターミナル６０Ａ〜６０Ｃとを結合すると、第１ターミナル７０及び第２ターミナル９０にモータ本体１２が連結された状態で、第１ターミナル７０及び第２ターミナル９０と回路ターミナル６０Ａ〜６０Ｃとを結合（溶接）しなければならないという問題がある。さらに、この状態で第１ターミナル７０及び第２ターミナル９０とカバー５４とを一体成形することになり、成形性が悪化するという問題がある。これに対して、第１の実施の形態では、第１ターミナル７０及び第２ターミナル９０と回路ターミナル６０Ａ，６０Ｃとを結合した後に、巻線端末部４０Ａ〜４０Ｌと、バスバー８０及び第２ターミナル９０とを結合しているため、上記のような問題が解消され、回転電機１０における組付性を向上できる。
【００６０】
なお、第１の実施の形態では、第１ターミナル７０及び第２ターミナル９０がカバー５４にインサート成形によって一体に形成されている。これに代えて、例えば、シール材を介して第１ターミナル７０及び第２ターミナル９０をカバー５４に組み付けて、第１ターミナル７０及び第２ターミナル９０をカバー５４に一体化してもよい。具体的には、図６に示されるように、カバー５４の枠部５４Ａの外側に、モータ本体１２の軸方向一方側へ開放された有底状の凹部５５を形成する。そして、枠部５４Ａの側壁及び凹部５５の側壁に、第１ターミナル７０及び第２ターミナル９０が挿入されるスリット５７を形成して、当該スリット５７内に第１ターミナル７０及び第２ターミナル９０を挿入した状態に組付ける。そして、凹部５５内及びスリット５７にシール材Ｓを充填することで、回路室５６を密閉する。
【００６１】
この場合においても、例えば、第１ターミナル７０及び第２ターミナル９０と回路ターミナル６０Ａ〜６０Ｃとを溶接によって結合してから回路基板５８を回路室５６内に収容できる。これにより、上記と同様に、回路室５６外で第１ターミナル７０及び第２ターミナル９０と回路ターミナル６０Ａ〜６０Ｃとを溶接できるため、第１ターミナル７０及び第２ターミナル９０と回路ターミナル６０Ａ〜６０Ｃとを溶接する際の電極スペースを容易に確保できる。また、この場合には、回路ターミナル６０Ａ〜６０Ｃに結合された第１ターミナル７０及び第２ターミナル９０をカバー５４と一体にしてから、回路ターミナル６０Ａ〜６０Ｃを回路基板５８上に配置できる。又は、第１ターミナル７０及び第２ターミナル９０と結合された回路ターミナル６０Ａ〜６０Ｃを回路基板５８上に配置してから、第１ターミナル７０及び第２ターミナル９０をカバー５４と一体にすることもできる。これにより、この場合においても、溶接する際のスパッタによる回路部品に対する影響を抑制できる。
【００６２】
また、第１の実施の形態では、第１ターミナル７０とバスバー８０とが分割して構成されているが、第１ターミナル７０とバスバー８０とを一体に形成して、一部材として構成してもよい。
【００６３】
さらに、第１の実施の形態では、バスバー結合部８４及び第２ターミナル結合部９６において、２本の巻線３８がＴＩＧ溶接によって結合されているが、回転電機１０の仕様に対応して、バスバー結合部８４及び第２ターミナル結合部９６に結合される巻線３８の本数を任意に設定してもよい。また、バスバー結合部８４及び第２ターミナル結合部９６の個数を任意に設定してもよい。
【００６４】
（第２の実施の形態）
【００６５】
以下、図７及び図８を用いて、第２の実施の形態に係る回転電機１００について説明する。この第２の実施の形態は、参考例である。第２の実施の形態の回転電機１００では、巻線３８と回路ターミナル６０Ａ〜６０Ｃとの接続において、第１の実施の形態の回転電機１０と比べて以下に示す点が異なっている。
【００６６】
すなわち、第２の実施の形態の回転電機１００では、カバー５４が、センタピース１４のモータ本体１２の軸方向一方側に設けられており、センタピース１４とカバー５４とによって回路室５６が形成されている。すなわち、回路基板５８がモータ本体１２の軸方向一方側に配置されている。なお、図７では、回路室５６を図示するために、カバー５４の底壁の一部を開放して図示している。
【００６７】
また、モータ本体１２から６個の巻線端末部４０Ａ〜４０Ｆが延出され、巻線端末部４０Ａ〜４０Ｆは、２本ずつ対を成して回路基板５８を挿通している。この巻線端末部４０Ａ〜４０Ｆの回路基板５８を挿通する部分には、ガイド１０２が設けられており、巻線端末部４０Ａ〜４０Ｆは、ガイド１０２によって保持されつつ回路基板５８からモータ本体１２の軸方向一方側へ突出されている。
【００６８】
さらに、第２の実施の形態では、第１の実施の形態の一対の第１ターミナル７０、一対のバスバー８０、及び第２ターミナル９０がそれぞれ省略されている。また、回路ターミナル６０Ａ〜６０Ｃは、略板状に形成されており、板厚方向をモータシャフト２０を中心とした放射方向にして巻線端末部４０Ａ〜４０Ｆに隣接して配置されている。また、回路ターミナル６０Ａ〜６０Ｃのモータ本体１２の軸方向中間部には、回路ターミナル結合部１０４が形成されており、回路ターミナル結合部１０４は巻線端末部４０Ａ〜４０Ｆ側へ突出された断面略円弧状に形成されている。そして、各回路ターミナル６０Ａ〜６０Ｃの回路ターミナル結合部１０４に巻線端末部４０Ａ〜４０Ｆがプロジェクション溶接等によって結合されている。これにより、回路室５６内において、アルミニウムを主成分とした金属により構成された巻線３８の巻線端末部４０Ａ〜４０Ｆと、銅を主成分とした金属により構成された回路ターミナル６０Ａ〜６０Ｃと、が結合されている。その結果、例えば、回路ターミナル６０Ａ〜６０Ｃにおける巻線端末部４０Ａ〜４０Ｆとの結合部分にシール材等を塗布することなく、当該結合部分の腐食を抑制できる。したがって、第２の実施の形態においても、アルミニウムを主成分とした金属で巻線３８を構成した場合でも、コストアップを抑制しつつ巻線３８と回路ターミナル６０Ａ〜６０Ｃとの間を良好に導通できる。
【００６９】
また、第２の実施の形態では、巻線３８の巻線端末部４０Ａ〜４０Ｆがモータ本体１２から回路室５６内へ延出され、巻線端末部４０Ａ〜４０Ｆが回路ターミナル６０Ａ〜６０Ｃに直接結合されている。このため、回路室５６外で巻線３８を結合する必要がなくなるため、回転電機１００の低コストを図ることができる。
【００７０】
さらに、巻線端末部４０Ａ〜４０Ｆの回路基板５８を挿通する部分には、ガイド１０２が設けられており、巻線端末部４０Ａ〜４０Ｆは、ガイド１０２によって保持されている。これにより、巻線端末部４０Ａ〜４０Ｆを回路室５６内へ良好に引き込むことができ、巻線端末部４０Ａ〜４０Ｆを回路ターミナル結合部１０４に安定して溶接できる。
【００７１】
（第３の実施の形態）
【００７２】
以下、図９及び図１０を用いて、第３の実施の形態に係る回転電機２００について説明する。この第３の実施の形態は、参考例である。第３の実施の形態の回転電機２００では、以下に示す点を除いて第１の実施の形態の回転電機１０と同様に構成されている。
【００７３】
すなわち、第３の実施の形態では、カバー５４の内側に回路カバー２０２及び接合端子カバー２０４が設けられており、回路室５６が回路カバー２０２及び接合端子カバー２０４によって２つの領域に区画されている。
【００７４】
回路カバー２０２は、ベース部５２側へ開放された略箱型状に形成されると共に、回路室５６内におけるモータ本体１２とは反対側（図９の矢印Ｄ方向側）の部分に配置されている。そして、回路室５６において回路カバー２０２によって区画された領域が基板収容室２０６とされており、基板収容室２０６内に回路基板５８（図１０参照）が収容されている。
【００７５】
接合端子カバー２０４は、ベース部５２側へ開放された略箱型状に形成されると共に、回路カバー２０２のモータ本体１２側（図９の矢印Ｃ方向側）において回路カバー２０２と隣接して配置されている。そして、回路室５６において回路カバー２０２によって区画された領域が端子結合室２０８とされている。なお、図９では、説明の便宜上、カバー５４の底壁及び接合端子カバー２０４の底壁の一部を図示省略している。
【００７６】
また、カバー５４は樹脂材により構成されており、カバー５４の内側において、回路カバー２０２及び接合端子カバー２０４がカバー５４と一体に形成（インサート成形）されている。これにより、基板収容室２０６内及び端子結合室２０８内は密閉されて、基板収容室２０６及び端子結合室２０８の防水性が確保されている。
【００７７】
さらに、回路ターミナル６０Ａ〜６０Ｃは、略長尺板状に形成されると共に、直交軸Ｃｙの軸方向から見て、略クランク状に屈曲されている（図１０参照）。回路ターミナル６０Ａ〜６０Ｃの長手方向中間部は、板厚方向をモータ本体１２の軸方向にして、回路カバー２０２及び接合端子カバー２０４の互いに隣接する側壁を通過している。換言すると、回路ターミナル６０Ａ〜６０Ｃの長手方向中間部は、回路カバー２０２及び接合端子カバー２０４の互いに隣接する側壁から基板収容室２０６側及び端子結合室２０８側へ突出されるように配置されている。回路ターミナル６０Ａ〜６０Ｃの長手方向一端部は、回路基板５８側（図１０の矢印Ｂ方向側）へ屈曲されて、回路基板５８に結合されている。回路ターミナル６０Ａ〜６０Ｃの長手方向他端部は、モータ本体１２の軸方向一方側（図１０の矢印Ａ方向側）へ屈曲されて、端子結合室２０８内に配置されている。そして、回路ターミナル６０Ａ〜６０Ｃの突起部６２が、回路ターミナル６０Ａ〜６０Ｃの長手方向他端部からモータ本体１２側へ突出されている。なお、回路カバー２０２及び接合端子カバー２０４の側壁には、例えば、回路ターミナル６０Ａ〜６０Ｃが通過する切欠き等が形成されており、シール材等によりシールされている。
【００７８】
一方、第１ターミナル７０及び第２ターミナル９０は、カバー５４及び接合端子カバー２０４のモータ本体１２側の側壁を通過しており、第１ターミナル７０及び第２ターミナル９０の各々の一端が端子結合室２０８内に配置されている。なお、第１ターミナル７０及び第２ターミナル９０は、シール材を介してカバー５４に組付けられている。そして、端子結合室２０８内において、第１ターミナル７０と回路ターミナル６０Ａ，６０Ｃとが結合されると共に、第２ターミナル９０と回路ターミナル６０Ｂとが結合されている。
【００７９】
これにより、第３の実施の形態においても、アルミニウムとは異なる導電性の金属（黄銅）で構成された回路ターミナル６０Ａ〜６０Ｃと、アルミニウムを主成分とした金属で構成された第１ターミナル７０及び第２ターミナル９０とが、防水性の確保された（高い）端子結合室２０８内において結合されている。したがって、第３の実施の形態においても、第１の形態と同様の作用及び効果を奏することができる。
【００８０】
なお、第３の実施の形態では、カバー５４の内側において、回路カバー２０２及び接合端子カバー２０４がカバー５４と一体に形成されて、回路室５６が基板収容室２０６と端子結合室２０８とに区画されている。これに代えて、図１１に示されるように、接合端子カバー２０４を省略して、カバー５４と回路カバー２０２とを一体に形成することで、回路室５６を基板収容室２０６と端子結合室２０８とに区画してもよい。
【００８１】
また、第１の実施の形態〜第３の実施の形態において、回路室５６の防水性能を一層向上するようにカバー５４の内周部に迷路構造（所謂ラビリンス構造）を設けてもよい。
【符号の説明】
【００８２】
１０・・・回転電機、１２・・・モータ本体（モータ部）、３４・・・電機子コア、３６・・・ティース部、３８・・・巻線、４０Ａ，４０Ｂ，４０Ｃ，４０Ｄ，４０Ｅ，４０Ｆ，４０Ｇ，４０Ｈ，４０Ｉ，４０Ｊ，４０Ｋ，４０Ｌ，４０Ｌ・・・巻線端末部、５４・・・カバー、５６・・・回路室、５８・・・回路基板（駆動回路部）、６０Ａ，６０Ｂ，６０Ｃ・・・回路ターミナル（回路端子）、７０・・・第１ターミナル（連結部材）、８０・・・バスバー（連結部材）、８４・・・バスバー結合部（結合部）、９０・・・第２ターミナル（連結部材）、９６・・・第２ターミナル結合部（結合部）、１００・・・回転電機、２００・・・回転電機
【図１】
2019071788.tif 000003
【図２】
2019071788.tif 000004
【図３】
2019071788.tif 000005
【図４】
2019071788.tif 000006
【図５】
2019071788.tif 000007
【図６】
2019071788.tif 000008
【図７】
2019071788.tif 000009
【図８】
2019071788.tif 000010
【図９】
2019071788.tif 000011
【図１０】
2019071788.tif 000012
【図１１】
2019071788.tif 000013